(57)【要約】【課題】  民謡の歌唱譜および各和楽器相互の楽譜の関連性を一目で総合的に把握できるようにして、和楽器の伴奏を伴う民謡を簡単に楽しむことができるとともに、民謡の伝承も平易かつ正確に行える民謡用楽譜を提供する。【解決手段】  三味線の３本の弦を押さえるべき指に対応させた数字を表示した三味線用楽譜７、これに略平行して直線上に所定間隔で拍子に対応する区切りを表示した拍子譜８、三味線用楽譜７の略端部においてこれと略直交する方向に尺八の音階を示す尺八音階譜９をそれぞれ表記し、三味線用楽譜７を横座標軸、尺八音階譜９を縦座標軸とする領域に三味線用楽譜７および拍子譜８に対応するとともに、尺八音階に対応する位置に唄うべき民謡の歌詞を示す文字を配置して歌唱譜１０を構成する。【選択図】  図１（ａ）
2006098607.tif 000002
【特許請求の範囲】
【請求項１】
三味線の３本の弦に対応する直線状の３つの平行な領域に、それぞれの弦を押さえるべき指に対応させた数字、文字および記号の内のいずれかを表示した三味線用楽譜を表記し、
また、直線上に所定間隔で拍子に対応する区切りを表示した拍子譜を上記三味線用楽譜に沿って略平行に表記し、
さらに上記三味線用楽譜および拍子譜の略端部において、上記三味線用楽譜および拍子譜と略直交する方向に、尺八の音階を示す尺八音階譜を表記し、
かつ、上記三味線用楽譜または拍子譜を横座標軸とし、上記尺八音階譜を縦座標軸とする領域において、三味線用楽譜および拍子譜に対応するとともに、尺八の音階に対応する位置に、唄うべき民謡の歌詞を示す文字を配置して歌唱譜を構成している、ことを特徴とする民謡用楽譜。
【発明の詳細な説明】
【技術分野】
【０００１】
本発明は、民謡に対して民謡演奏用の和楽器の楽譜を対応付けて一括表記した民謡用楽譜に関する。
【背景技術】
【０００２】
民謡を和楽器の伴奏付きで唄う場合、楽譜があれば、初心者でも歌詞を間違えたり演奏を間違えたりすることが少なく、だれでも民謡を楽しむことができるので便利である。しかも、楽譜を印刷物として紙面で残すことができるため、民謡の普及が図れるとともに、民謡やその演奏内容を後世に承継してゆくことができるという利便性がある。
【０００３】
ところで、従来、民謡を唄うときの伴奏用の楽譜としては、洋楽器演奏用の五線譜と三味線演奏用の文化譜とを併記したスコア（総譜）を記載した民謡用楽譜などが提案されている（例えば、特許文献１等参照）。
【０００４】
【特許文献１】実開平６−２１０５８号公報
【発明の開示】
【発明が解決しようとする課題】
【０００５】
しかしながら、民謡を唄う場合の歌詞とその音階を表記した楽譜（以下、歌唱譜という）については、従来、五線譜で表記したものが一部では存在するものの、地方の多くの民謡については未だ歌唱譜として紙面で残されずに口伝に頼っているのが現状である。ましてや、民謡の歌唱譜と共に各和楽器の演奏するパートを互いに対応付けて分かりやすく一括表記した楽譜（スコア）は未だ存在していない。
【０００６】
このため、従来は、民謡を和楽器の伴奏付きで唄う場合に適切が楽譜（スコア）が存在しないために、だれでも民謡を楽しむことが難しく、また、初心者は歌詞や音程を間違えたり、和楽器の演奏を間違えたりすることが多かった。しかも、楽譜を印刷物として紙面で残していないので、民謡の普及に限界があるとともに、民謡やその演奏内容を正確に後世に承継してゆく上でも多くの困難を伴っていた。
【０００７】
ここで、民謡を和楽器の伴奏付きで唄う場合の楽譜として、例えば、民謡の歌唱譜や各種の和楽器の楽譜を全て五線譜で表記し、それぞれのパートを互いに対応付けた楽譜（スコア）とすることが考えられる。
【０００８】
しかしながら、民謡を唄う場合にはそれぞれ特有の節回しなどがあり、これを全て五線譜で表記することは無理がある。また、民謡の伴奏用として使用される各和楽器は、長年それぞれ独自の楽譜表記が行われているので、和楽器独自の楽譜表記に慣れ親しんでいる演奏者は、かかる五線譜で表記した楽譜から指使いや弦の位置を一目で視覚的に把握することは難しく、今までの和楽器独自の楽譜表記に読み直して演奏する必要があり、全て五線譜で表記した楽譜では演奏しずらい。
【０００９】
本発明は、上記の課題を解決するためになされたもので、民謡を唄う場合の歌唱譜を五線譜を使用することなく実際に唄いこなすのに適した方法でもって表記し、また、この民謡を伴奏する和楽器についても長年慣れ親しんできた和楽器独自の楽譜表記を踏襲するようにして、民謡の楽曲を全体的、総合的に容易に把握できるようにし、民謡を楽しく唄えるとともに、民謡の唄に合わせて和楽器を極めて容易に演奏することができ、しかも、民謡の伝承を平易かつ正確に行うことができる民謡用楽譜を提供することを目的とする。
【課題を解決するための手段】
【００１０】
上記の目的を達成するために、本発明の民謡用楽譜は、三味線の３本の弦に対応する直線状の３つの平行な領域に、それぞれの弦を押さえるべき指に対応させた数字、文字および記号の内のいずれかを表示した三味線用楽譜を表記し、また、直線上に所定間隔で拍子に対応する区切りを表示した拍子譜を上記三味線用楽譜に沿って略平行に表記し、さらに上記三味線用楽譜および拍子譜の略端部において、上記三味線用楽譜および拍子譜と略直交する方向に、尺八の音階を示す尺八音階譜を表記し、かつ、上記三味線用楽譜または拍子譜を横座標軸とし、上記尺八音階譜を縦座標軸とする領域において、三味線用楽譜および拍子譜に対応するとともに、尺八の音階に対応する位置に、唄うべき民謡の歌詞を示す文字を配置して歌唱譜を構成している、ことを特徴とする。
【発明の効果】
【００１１】
本発明によれば、民謡を唄う場合の歌唱譜を五線譜を使用することなく実際に唄いこなすのに適した方法でもって表記され、また、この民謡を伴奏する和楽器についても長年慣れ親しんできた和楽器独自の楽譜表記が踏襲されるとともに、唄い手や各和楽器のパートが一目で分かるので、民謡の楽曲を全体的、総合的に容易に把握することができる。このため、民謡が唄い易くなるとともに、唄に合わせて複数の和楽器を極めて容易に演奏することが可能になる。しかも、唄い手や各和楽器のパートごとに各譜面を準備する必要はなく一種類の譜面を用意すれば足りるので便利である。
【００１２】
そして、このような民謡用楽譜があれば、初心者でも歌詞を間違えたり演奏を間違えたりすることが少なくなり、だれでも民謡を楽しむことができる。さらに、楽譜を印刷物として紙面で残すことができるため、民謡の普及が図れるとともに、民謡やその演奏内容を正確に後世に承継してゆくことができる。
【発明を実施するための最良の形態】
【００１３】
図１(ａ)〜(ｂ)は本発明の実施の形態における民謡用楽譜の一例を示す図である。
【００１４】
この実施の形態における民謡用楽譜は、曲名が「菅笠節」という民謡に適用した場合を示したもので、譜面の最初の部分に民謡の曲名１が記載する。また、その民謡の曲名１の下には、この曲の拍子２、三味線の調子３、速度記号４、リズムの種類５を横並びで表記する。
【００１５】
ここに、曲の拍子２は分数で表記し、三味線の調子３は、本調子、二上がり、三下がり等の文字で表記する。また、速度記号４は、５段階に分けて分数表記する。なお、５段階の範囲よりも遅い場合には記号"←"を分数表記の左側に表記し（例えば、←１／５）、また、５段階の範囲よりも速い場合には記号"→"を分数表記の右側に表記する（例えば、５／５→）。リズムの種類５は、平、弾等の文字で表記する。さらに、これらの左側方には、この曲で使われる和楽器の音階を西洋音階の階名に対応付けて表した音階互換表６を記載する。なお、和楽器の音階は「レ」を基音としている。
【００１６】
三味線の前奏がある場合には、三味線用楽譜７が最初に記載される。この場合の三味線用楽譜７は、三味線の３本の弦に対応する直線状の３つの平行な領域に、それぞれの弦を押さえるべき指に対応させた数字、文字、記号が表記される。そして、この場合の三味線用楽譜７は、民謡伴奏の際の基本となるリズムを示すものとなる。
【００１７】
ここで、三味線用楽譜７としては、通常、三味線の３本の弦に対応させた３本の平行線からなる３線譜の各線上に、三味線の各弦を押すべき指に対応させた数字等を表記した、いわゆる文化譜が使用されているが、この実施の形態の三味線用楽譜７は、３本の弦の内、中央の第２弦に対応させた一本の線のみを表記し、上下の第１弦、第３弦に対応する線を省略している。なお、ここでのローマ数字Ｉ，ＩＩ，ＩＩＩは押さえる左手指の番号に対応し、ハ，ウ，ス等の片仮名は撥および左手指の捌き具合を、０〜４の数字はばちの奏法を示している。
【００１８】
前奏用の三味線用楽譜７が終わった箇所から、三味線用楽譜７、拍子譜８、尺八音階譜９、および民謡の歌唱譜１０を互いに対応付けて一括表記する。したがって、この部分は全体で一種の総譜（スコア）形式になっている。
【００１９】
すなわち、下段には前述の三味線用楽譜７を、また、この三味線用楽譜７の上方には三味線用楽譜７に沿って略平行に拍子譜８を表記する。この場合の拍子譜８は、唄うべき民謡や三味線の拍子を決めるものであり、一つの直線（カウントバー）上に所定間隔で拍子に対応する区切りを表示する。なお、三味線用楽譜７と拍子譜８とは上下逆に配置することも可能である。
【００２０】
さらに、三味線用楽譜７および拍子譜８の左側の端部において、三味線用楽譜７および拍子譜８と略直交する方向に尺八音階譜９を表記する。この尺八音階譜９は、尺八を演奏する場合の音階となるだけでなく、唄うべき民謡の音階にも対応する。
【００２１】
そして、三味線用楽譜７および拍子譜８を共に横座標軸とし、尺八音階譜９を縦座標軸とする領域において、三味線用楽譜７および拍子譜８に対応するとともに、尺八の音階に対応する位置に、唄うべき民謡の歌詞を示す文字を配置することにより、民謡の歌唱譜１０が構成される。
【００２２】
このように、本発明の民謡用楽譜は、民謡を唄う場合の歌唱譜を五線譜を使用することなく実際に唄いこなすのに適した方法でもって表記され、また、この民謡を伴奏する和楽器についても長年慣れ親しんできた和楽器独自の楽譜表記が踏襲されるとともに、唄い手や各和楽器のパートが一目で分かるので、民謡の楽曲を全体的、総合的に容易に把握することができる。このため、民謡が唄い易くなるとともに、唄に合わせて複数の和楽器を極めて容易に演奏することが可能になる。しかも、唄い手や各和楽器のパートごとに各譜面を準備する必要はなく一種類の譜面を用意すれば足りるので便利である。
【００２３】
そして、このような民謡用楽譜があれば、初心者でも歌詞を間違えたり演奏を間違えたりすることが少なくなり、だれでも民謡を楽しむことができるので便利である。しかも、楽譜を印刷物として紙面で残すことができるため、民謡の普及が図れるとともに、民謡やその演奏内容を平易かつ正確に後世に承継してゆくことができる。
【００２４】
このような民謡用楽譜をより有効に活用する上でのさらに細かい表記事項について次に説明する。
【００２５】
反復記号は三味線用楽譜７において"｜："の記号２１ａと"：｜"の記号２１ｂとを用いて、｜：  …  ：｜で表記し、また、終止符は三味線用楽譜７において"｜｜"の縦線２本の記号２２で表記する。部分的な変拍子２３は三味線用楽譜７の線よりも上方に（半間），（３／４），（３／８）等を記載して表記する。
【００２６】
次に、唱和譜１０の部分の歌詞は基本的に平仮名で表記とし、母音をのばして唄う部分では片仮名２４で表記する。裏拍から唄い出す民謡の場合、歌詞１０の最初の位置に"・"の記号２５を表記する。息継ぎは"▼"の記号２７で、盗み息（カンニングブレス）は"▽"の記号２８でそれぞれ表記する。楽譜２段目以降の民謡の歌詞の左端の"（）"で囲んだ文字２９や、"−"のハイフン記号３０は、前段右端の歌詞における音階の引き継ぎ具合を明示するために表記する。
【００２７】
音階囃子は、その囃子の箇所を"＊"の記号３３で前後に挟んで、＊  …  ＊というように表記し、尺八音階譜９の音階座標に則る。掛け声囃子は"（"の記号３４ａと"）"の記号３４ｂとを用いて（  …  ）で表記する。その際、掛け声に抑揚が必要なときには、それを表すために上下差をつけて表記する。ただし、この場合には尺八音階譜９の音階座標には則らない。また、歌唱譜１０において、部分的に音程が半音上がる場合は、その発音の左肩に"↑"の記号３５を表記する。なお、この楽譜では使用していないが、全音上がる場合には、その発音の左肩に"↑↑"の記号を表記する。また、字余りで唄う場合、その歌詞の文字下部に"└┘"の記号３６を表記する。なお、この楽譜でし使用していないが、字足らずで唄う場合には歌詞の字足らずの箇所に記号"○"を表記する。
【００２８】
ところで、一般に民謡を唄うときには各民謡特有の節回しを行う（小節をきかす）ことがある。その場合には、図２に示すように、曲線３７で節回しを表現してもよい。なお、図２では「音戸の船唄」の場合を例示している。ただし、このような節回しは、各自の好みや、指導者に任されることが多いので、特に規定されるものではなく任意に解釈してよいものである。
【００２９】
また、図３に示すように、民謡の歌詞が複数番ある場合に、ある特定の番号の歌詞について部分的に拍子や小節数を異ならせるときには、その対象となる小節を縦線"｜"の記号３８ａ，３８ｂを用いて前後に区切る。そして、その区切った小節を通常よりも短小節で唄う場合には、"←"の矢印記号４１ａや"→"の矢印記号４１ｂを用いて｜→  …  ←｜と表記する。また、区切った小節を通常よりも長小節で唄う場合には同じよな矢印記号４１ａ，４１ｂを用いて｜←  …  →｜と表記する。さらに、最初の区切り"｜"の記号３８ａの直後にその歌詞の番号（コーラス番号）をマル数字３９で表記し、また、最後の区切り"｜"の記号３８ｂの直前に繰り返す小節数４０を表記する。したがって、図３に示す「道南口説」の場合、４番目の歌詞で「おさわアわた−っておよべにイかかりゃ」の部分（８小節分）は、通常の場合よりも長調節で唄うことになる。
【００３０】
また、図４に示すように、民謡の歌詞が複数番ある場合に、ある特定の番号の歌詞については部分的に別の歌詞（フレーズ）を挿入するような場合、その別の歌詞（フレーズ）を入れる部分を縦線"｜"の記号３８ａ，３８ｂを用いて前後に区切り、かつ、その挿入される別の歌詞（フレーズ）の先頭に、その歌詞の番号（コーラス番号）をマル数字で表記する。したがって、例えば図４に示す「あがらしゃれ」の場合、通常の歌詞では、「…（ハアコイチャ）…」と唄う部分が、３番目の歌詞では、「…（ハアコイチャ）あさめしゃひるめしひるめしゃよめしイ…」と唄うことになる。
【００３１】
さらに、図５に示すように、民謡の歌詞が複数番ある場合に、ある特定の番号の歌詞については一部の歌詞を別の歌詞（フレーズ）に置き換えるような場合、その置き換える歌詞の番号（コーラス番号）をマル数字３９で表記するとともに、旋律線４２も同時に表記して前後の番号の歌詞と区別できるようにする。その際、歌詞の文字が同じ音程の箇所で重なるときには、その部分については"／"のスラッシュ記号４３を用いて、先の歌詞をその左側に、後の歌詞をその右側に表記する。したがって、例えば図５に示す「長崎ぶらぶら節」の場合、同図（ａ）に示す唄い出しの部分において、１番目と２番目の歌詞では、「あそびにゆく…」と唄う部分が、３番目の歌詞では、「ことしゃ…」と唄うことになる。また、同図（ｂ）に示す歌の途中では、通常の歌詞では、「…うめぞのうらもんたた…」と唄う部分が、３番目の歌詞では、「…あきは…」と唄うことになる。
【００３２】
和楽器として、三味線や尺八以外に、例えば和太鼓を加えて演奏するような場合、和太鼓のリズムは西洋音符でも容易に表現することができる。このため、図５に示すように、例外的に洋楽の音符を用いて、味線用楽譜７の下側でかつ三味線用楽譜７に平行して和太鼓楽譜１１を表記する。この場合、和太鼓楽譜１１の一つの線１２の上側の音符は締太鼓、線１２の下側の音符は平太鼓を示し、また、符号"×"は枠打ちを示す。
【００３３】
さらに、三味線、尺八、和太鼓で民謡の伴奏を行う場合に限らず、笛や鼓などの他の和楽器を加えて民謡を伴奏する場合にも本発明の民謡用楽譜を使用することができる。
【図面の簡単な説明】
【００３４】
【図１（ａ）】本発明の実施の形態における民謡用楽譜の一例を示す図である。
【図１（ｂ）】図１(ａ)に連なる民謡用楽譜の一例を示す図である。
【図２】民謡を唄うときの節回しを表記した民謡用楽譜の一例を示す図である。
【図３】民謡の歌詞が複数番ある場合に、ある特定の番号の歌詞について部分的に拍子や小節数を異ならせるときの民謡用楽譜の表記例を示す図である。
【図４】民謡の歌詞が複数番ある場合に、ある特定の番号の歌詞については部分的に別の歌詞（フレーズ）を挿入するような場合の民謡用楽譜の表記例を示す図である。
【図５】民謡の歌詞が複数番ある場合に、ある特定の番号の歌詞については一部に別の歌詞（フレーズ）と置き換える場合の表記例、ならびに和楽器として和太鼓譜を加えた場合の民謡用楽譜の一例を示す図である。
【符号の説明】
【００３５】
７    三味線用楽譜
８    拍子譜
９    尺八音階譜
１０    歌唱譜
１１    和太鼓楽譜
【図１（ａ）】
2006098607.tif 000003
【図１（ｂ）】
2006098607.tif 000004
【図２】
2006098607.tif 000005
【図３】
2006098607.tif 000006
【図４】
2006098607.tif 000007
【図５】
2006098607.tif 000008